(57)【要約】【課題】術者が治療箇所を観視するために患者の口腔内を照射する光照射器、或いは、歯牙形成後の修復修材として使用する光合成レジンを硬化させるための光重合用光照射器として使用可能な歯科用光照射器を供給する。【解決手段】ハンドピース部材１は、１又は複数のＬＥＤが配設された光源部材３と、前記光源部材３からの光を導光する導光部材５と、前記光源部材３及び導光部材５を着脱自在に装着可能なヘッド部２を有する。前記ヘッド部２内において前記光源部材３と導光部材５とを対向配置して前記光源部材３からの光を前記導光部材を通して照射する。【選択図】        図１
2004321422.tif 000002
【特許請求の範囲】
【請求項１】
１又は複数のＬＥＤが配設された光源部材と、前記光源部材からの光を集光する集光部材と、前記光源部材及び集光部材を着脱自在に装着可能なヘッド部を有するハンドピース部材とから成り、前記ヘッド部内において前記光源部材と集光部材とを対向配置して前記光源部材からの光を前記集光部材を通して照射するようにしたことを特徴とする歯科用光照射器。
【請求項２】
前記光源部材として、発光波長の異なる光源を複数具備し、これら複数の光源が前記ハンドピース部材のヘッド部に交換可能に着脱自在であることを特徴とする請求項１に記載の歯科用光照射器。
【請求項３】
前記光源部材は、前記ＬＥＤが発する熱を放散するヒートシンクを一体的に有することを特徴とする請求項１又は２に記載の歯科用光照射器。
【請求項４】
前記光源部材及びヒートシンクに更に前記集光部材を一体的に有することを特徴とする請求項３に記載の歯科用光照射器。
【請求項５】
前記ハンドピースのヘッド部に着脱自在に装着されるアタッチメントを有し、該アタッチメントによって前記集光部材からの光を導光して照射することを特徴とする請求項１乃至４のいずれかに記載の歯科用光照射器。
【請求項６】
前記アタッチメントとして、光照射範囲の異なるものを複数具備し、これらが前記ヘッド部に交換自在に装着可能であることを特徴とする請求項１乃至４のいずれかに記載の歯科用光照射器。
【請求項７】
前記ヒートシンクは、前記ハンドピース部のエアー供給路を通して供給されるエアーによって冷却され、冷却後のエアーは、該ハンドピース部のエアー排出路を通して排気されることを特徴とする請求項１乃至６のいずれかに記載の歯科用光照射器。
【請求項８】
前記ハンドピース部に着脱自在に装着される電池電源部を有し、該電池電源部によって前記ＬＥＤを駆動するようにしたことを特徴とする請求項１乃至７のいずれかに記載の歯科用光照射器。
【請求項９】
前記電池電源部にファンを具備し、該ファンによって前記ヒートシンクに冷却エアーを供給するようにしたことを特徴とする請求項８に記載の歯科用光照射器。
【請求項１０】
発光波長の異なる光源をヘッド部内に有する歯科用ハンドピースを複数具備し、これら複数の歯科用ハンドピースに対して着脱自在に接続される単一の共通インスツルメントホースを有することを特徴とする歯科用光照射器。
【発明の詳細な説明】
【０００１】
【発明の属する技術分野】
本発明は、歯科用光照射器、より詳細には、歯科治療において、術者が治療箇所を観視するために患者の口腔内を照射する光照射器、或いは、歯牙形成後の修復材として使用する光合成レジンを硬化させるための光重合用光照射器として使用して効果的な歯科用光照射器に関する。
【０００２】
【従来の技術】
歯科治療において、例えば、歯牙形成後の修復材として使用する光硬化性レジンを硬化させるための光重合用光照射器或いは口腔内を照射するための光照射器を用いるが、光重合に用いる場合は、使用するレジンによって硬化波長が異なったり、治療部位によって光照射面積が異なったりする。また、口腔内の照明に用いる場合には、光の波長は可視光があれば良いので、波長を異ならしめる必要はないが、観察箇所によっては、光照射範囲が異なる。
【０００３】
【発明が解決しようとする課題】
上述のように、歯科用光照射器において、その使用目的によって、照射光の波長が異なったり、光照射範囲が異なったりするが、これら多様の用途に対応して、それぞれ専用の光照射器を備えていたのであれば、その費用が嵩むばかりでなく、その保管、管理も大変である。
【０００４】
本発明は、上述のごとき実情に鑑みてなされたもので、特に、単一のハンドピースに対して、発光波長の異なる複数種の光源部材を交換可能に装着できるようにするとともに、光照射範囲の異なる複数種の導光部材を交換可能に装着できるようにして、或いは、発光波長の異なる複数のハンドピースに対して単一のインスツルメントホースを共通使用可能として、安価に多種多様の用途に対応することのできる歯科用光照射器を提供することを目的としてなされたものである。
【０００５】
【課題を解決するための手段】
請求項１の発明は、１又は複数のＬＥＤが配設された光源部材と、前記光源部材からの光を集光する集光部材と、前記光源部材及び集光部材を着脱自在に装着可能なヘッド部を有するハンドピース部材とから成り、前記ヘッド部内において前記光源部材と集光部材とを対向配置して前記光源部材からの光を前記集光部材を通して照射するようにしたことを特徴としたものである。
【０００６】
請求項２の発明は、請求項１の発明において、前記光源部材として、発光波長の異なる光源を複数具備し、これら複数の光源が前記ハンドピース部材のヘッド部に交換可能に着脱自在であることを特徴としたものである。
【０００７】
請求項３の発明は、請求項１又は２の発明において、前記光源部材は、前記ＬＥＤが発する熱を放散するヒートシンクを一体的に有することを特徴としたものである。
【０００８】
請求項４の発明は、請求項３の発明において、前記光源部材及びヒートシンクに更に前記集光部材を一体的に有することを特徴としたものである。
【０００９】
請求項５の発明は、請求項１乃至４のいずれかの発明において、前記ハンドピースのヘッド部に着脱自在に装着されるアタッチメントを有し、該アタッチメントによって前記集光部材からの光を導光して照射することを特徴としたものである。
【００１０】
請求項６の発明は、請求項１乃至４のいずれかの発明において、前記アタッチメントとして、光照射範囲の異なるものを複数具備し、これらが前記ヘッド部に交換自在に装着可能であることを特徴としたものである。
【００１１】
請求項７の発明は、請求項１乃至６のいずれかの発明において、前記ヒートシンクは、前記ハンドピース部のエアー供給路を通して供給されるエアーによって冷却され、冷却後のエアーは、該ハンドピース部のエアー排出路を通して排気されることを特徴としたものである。
【００１２】
請求項８の発明は、請求項１乃至７のいずれかの発明において、前記ハンドピース部に着脱自在に装着される電池電源部を有し、該電池電源部によって前記ＬＥＤを駆動するようにしたことを特徴としたものである。
【００１３】
請求項９の発明は、請求項８の発明において、前記電池電源部にファンを具備し、該ファンによって前記ヒートシンクに冷却エアーを供給するようにしたことを特徴としたものである。
【００１４】
請求項１０の発明は、発光波長の異なる光源をヘッド部内に有する歯科用ハンドピースを複数具備し、これら複数の歯科用ハンドピースに対して着脱自在に接続される単一の共通インスツルメントホースを有することを特徴としたものである。
【００１５】
【発明の実施の形態】
図１は、本発明による歯科用光照射器の一実施例を説明するための要部分解構成図で、図中、１はハンドピース本体部、２はハンドピースヘッド部、３は光源ユニット（光源部材３ａ，ヒートシンク３ｂ，集光部材３ｃ）、４は蓋部材、５（５１〜５３）は導光部材（アタッチメント）、１０はインスツルメントホースで、前記ヘッド部２内の上部には、図２に断面図にて詳細に示すように、光源ユニット３が着脱自在に挿入され、該光源ユニット３が蓋部材４によって該ヘッド部２内に固定され、ヘッド部２内の材下方には、導光部材５（５１〜５３）が着脱自在に装着されるようになっている。
【００１６】
導光部材（アタッチメント）５は、例えば、図１に５１〜５３にて示すように、広範囲照明用５１、狭範囲照明用（口腔内診断用）５２、根管内照明用５３等、光照射範囲の異なるものを複数個準備しておき、必要に応じて、任意所望のアタッチメントを選択して使用することができるようになっている。なお、図２には、非接触型の広範囲照明用のアタッチメント５１を装着した場合の例を示したが、この場合は、平板状の導光部材５１を固定部材６によってヘッド部下部に固定するようにしている。しかし、導光部材（アタッチメント）をヘッド部に着脱自在に取り付ける取り付け方は、図示例のものに限らず、任意所望の方法によって取り付けることができる。
【００１７】
光源ユニットは、１又は複数のＬＥＤが配設されているＬＥＤ基板を有する光源部材３ａと、該ＬＥＤ基板のＬＥＤが配設されている側に設けられ、該ＬＥＤからの光を集光する集光部材（レンズ）３ｃと、前記ＬＥＤ基板の裏側（つまり、ＬＥＤが配設されていない側）に配設されたヒートシンク３ｂとから成り、更には、集光部材３ｃから漏れた光を反射して照射する光反射部材３ｄ等から成り、これらが一体的に組み合わされ、或いは、それぞれ別体に、或いは、光源部材３ａとヒートシンク３ｂを一体にし、或いは、光源部材３ａと集光部材３ｃを一体にしてヘッド部材２内に着脱自在に装着されるようになっている。
【００１８】
前述のように、好ましくは、光源部材（ＬＥＤ基板）３ａ、ヒートシンク３ｂ、集光部材（レンズ）３ｃ、及び、光反射部材３ｄは一体的に光源ユニット化されており、ＬＥＤからの光を集光部材３ｃで集光して、更には、反射部材３ｄにて反射して、所望の箇所を照明するようにし、或いは、光重合樹脂を硬化させるようにしているが、その場合に、光照射の目的によって、その光の波長を異ならせたい場合がある。特に、光硬化樹脂を光重合硬化させる場合など、樹脂によって最適な硬化波長が異なるため、照射波長の異なる光源ユニットを複数準備しておき、必要により、任意所望の波長の光源ユニットを選択して装着するようにするとよい。このように、光源ユニットを交換して使用する場合を考えると、ヒートシンク３ｂを別体としておけば、コストを安くすることができる。
【００１９】
ヒートシンク３ｂは、ＬＥＤが発光する熱を効果的に除去するもので、基本的には、熱伝導率の良い部材で形成され、自然放熱でもよいが、好ましくは、図２に示すように、冷却媒体例えば窒素、エアーを通路７ａ、７ｂを通して該ヒートシンク３ｂのまわりに強制的に供給して該ヒートシンクの熱を除去する。この場合、冷却媒体が供給されない場合は、ＬＥＤが駆動されないようにすることも可能であり、更に、供給する冷却媒体の量を調整するようにすることも可能である。
【００２０】
８ａ、８ｂは、ＬＥＤ用の電源線で、該電源線８ａ、８ｂの端部はヘッド２内にて突出し、光源部材３ａのＬＥＤ基板の周辺に配設されたリング電極３ａ１、３ａ２に接触するようになっており、これにより、光源ユニットをヘッド内に挿入する時に、光源ユニットの入れ方を気にすることなく挿入しても、必ず、ＬＥＤに電力が供給されるようになっている。この場合、勿論、ヘッド内に電極をリング状に配設し、ＬＥＤ基板の外周には、該リング状電極に接触する電極を２個設けるようにしてもよいことは容易に理解されよう。
【００２１】
インスツルメントホース１０は、周知のように、ハンドピース１に対して着脱自在に接続可能となっており、本発明によると、単一のハンドピース１と単一のインスツルメントホース１０を用い、ハンドピース１のヘッド部内に装着する光源部材３や導光部材５の交換により、歯科治療に必要な多種、多様の光照射に対応することができる。
【００２２】
また、前記実施例においては、インスツルメントホース１０の図示しない端部に電源ユニット、冷却媒体供給ユニット等を有し、これら電源ユニットや冷却媒体供給ユニットから供給される電力や冷却媒体の量を例えばフットスイッチの操作によって調整して供給するようにした例を示したが、該インスツルメントホース１０を省略し、握持部１１内に電池電源やファンを設け、該電池電源によって光源を点灯し、更には、ファンを回転して冷却エアーを供給するようにしてもよい。
【００２３】
また、以上には、ヘッド部内に光源部材を交換可能に装着するようにした例について説明したが、ヘッド部内に発光波長の異なる光源部材を固定配設したハンドピースを複数準備しておき、これらを単一のインスツルメントホース１０又は電源内蔵握持部１１に装着自在に接続可能とし、発光波長の異なる複数のハンドピースに対して単一のインスツルメントホース、或いは、電源内蔵握持部を共通使用するようにすることもできる。なお、図１において、握持部１１にインスツルメントホース１０が接続されているときは、握持部１１内に電池電源やファンは内蔵されておらず、インスツルメントホースが接続されていない時は、握持部１１内に電池電源やファンが内蔵されているものとする。
【発明の効果】
以上の説明から明らかなように、本発明によると、単一のハンドピースに対して、発光波長の異なる複数個の光源部材を交換可能に装着して、更には、照射範囲の異なる複数種の導光部材を交換可能に装着して使用し得るようにしたので、或いは、単一のインスツルメントホース又は電池電源内蔵の握持部に対して、発光波長の異なる光を照射する複数のハンドピースを交換可能に接続して使用することができるので、安価に各種多様の用途に対応可能な歯科用光照射器を供給することができる。
【図面の簡単な説明】
【図１】本発明による歯科用光照射器の一実施例を説明するための要部分解構成図である。
【図２】ヘッド部内の一実施例を示す断面図である。
【図３】冷却媒体及び駆動電源の供給例を示す図である。
【符号の説明】
１…ハンドピース本体、２…ハンドピースヘッド部、３ａ…光源部材、３ｂ…ヒートシンク、３ｃ…集光部材、３ｄ…光反射部材、４…蓋部材、５…導光部材、６…固定部材、８ａ，８ｂ…電源線、１０…インスツルメントホース、１１…握持部。
【図１】
2004321422.tif 000003
【図２】
2004321422.tif 000004
【図３】
2004321422.tif 000005